(57)【要約】      （修正有）【課題】  瓦の位置決めを容易にして屋根の施工作業を容易にするとともに、屋根瓦を強固に固定可能で強度の地震や強風にも十分耐え得る屋根瓦およびその施工方法を提供する。【解決手段】  軒側に葺かれた瓦の棟側端部に棟側の瓦の軒側端部が重なるように葺設される屋根瓦において、棟側の屋根瓦の軒先側端部の底面と、その底面に設けられたフック形状の嵌合部１５とにより、軒先側の屋根瓦の棟側端部を挟持して、その棟側の屋根瓦の施工位置を決定する。【選択図】        図９
2006200227.tif 000002
【特許請求の範囲】
【請求項１】
屋根施工時に軒先側から棟側にかけて隣接する他の瓦と互いの端部が重なるように葺設される屋根瓦であって、
前記屋根瓦の風雨にさらされる側の面を表面側とし野地板側に載置される側の面を裏面側としたとき、前記裏面側の前記軒先側端部に、前記隣接する他の屋根瓦の端部を嵌合する嵌合部が形成されていることを特徴とする屋根瓦。
【請求項２】
前記嵌合部は、フック状であり、該フックの先端が前記軒先側に向かって形成されていることを特徴とする請求項１に記載の屋根瓦。
【請求項３】
前記嵌合部は、フック状であり、該フックの先端が前記棟側に向かって形成されており、前記表面側の前記棟側端部には、前記隣接する他の瓦のフックの先端が嵌挿される孔部が形成されていることを特徴とする請求項１に記載の屋根瓦。
【請求項４】
屋根施工時に野地板に敷設された断面凹形状のレールを複数配設し該レールに沿って軒先側から棟側にかけて隣接する他の瓦と互いの端部が重なるように葺設される屋根瓦であって、
前記屋根瓦の野地板側に載置される側の面を裏面側としたとき、前記裏面の幅方向の端部に、前記断面凹形状のレールに嵌合する凸条が形成されていることを特徴とする屋根瓦。
【請求項５】
屋根施工時に軒先側から棟側にかけて隣接する他の瓦と互いの端部が重なるように屋根瓦を葺設する屋根の施工方法であって、
前記屋根瓦を軒先側の野地板上に固定する第１の屋根瓦固定工程と、
前記固定された軒先側の屋根瓦の棟側端部を、他の屋根瓦の裏面と、該裏面に形成されたフック状の嵌合部とにより挟持して、前記他の屋根瓦の施工位置を決定する施工位置決定工程と、
前記施工位置が決定された屋根瓦を野地板上に固定する第２の屋根瓦固定工程と、
を有することを特徴とする屋根瓦の施工方法。
【請求項６】
屋根施工時に軒先側から棟側にかけて隣接する他の瓦と互いの端部が重なるように屋根瓦を葺設する屋根の施工方法であって、
野地板上に屋根面の勾配方向に沿ってレールを敷設する敷設工程と、
前記屋根瓦の裏面に形成された凸条を前記レールの棟側の開口側から嵌入して軒先方向に摺動させ、前記屋根瓦を葺設位置まで移動させる摺動工程と、
を有することを特徴とする屋根瓦の施工方法。
【発明の詳細な説明】
【技術分野】
【０００１】
本発明は、屋根瓦およびその施工方法に関し、特に、互いに嵌合・係止可能な屋根瓦およびその施工方法に関する。
【背景技術】
【０００２】
建築物の屋根施工時に、屋根材として用いられているものの１つに屋根瓦がある。
屋根瓦は、鉄板屋根などと比べて高級感や重厚感があり、経年変化しにくく、また１枚単位で補修できるというメリットがあることから、従来より広く用いられている。
一般に、屋根施工の際には、屋根面上における屋根瓦の配設位置を確定し、その配設位置が決められた屋根瓦を屋根面に固定する。
【０００３】
このような、屋根面に対する屋根瓦の配設工法に関するものとして、特許文献１が開示するところの瓦の葺設工法が提案されている。
この特許文献１の瓦の葺設工法によれば、屋根面の勾配方向所要間隔に横方向に延在する横桟木を配設するとともに、横桟木の上に勾配方向に延在する縦桟木を横方向所在間隔に配設し、他方、瓦の後端部裏面に、横桟木に対する係止用凸起と縦桟木の側面に当接し係合し得る凸部または切欠断面を設けておき、係止用凸起を横桟木に係止させるとともに、凸部または切欠断面を横桟木の一方の側面に沿わせるようにして載置し、縦桟木と横桟木に沿って各瓦を屋根の勾配方向および横方向に並べて葺設する。
このようにして、瓦を屋根面上に施工するときに、特許文献１が開示する瓦の葺設工法を用いることで、高度な熟練した技術を必要とすることなく容易に、かつ縦方向および横方向共にずれなく真直ぐに葺くことができる。
さらに、この特許文献１に開示される瓦の葺設工法を用いて屋根瓦を葺設することにより、その葺かれた瓦は、横桟木に係止して勾配方向のずれが規制されるとともに、縦桟木によって横方向のずれも規制でき、また瓦の側端部を縦桟木に載接することにより揺動やガタつきを規制できることもあって、ある程度の地震や風に対して、ずれなく安定性のよい葺設状態を保持できるようになっている。
【特許文献１】特開平８−３０２９１０
【発明の開示】
【発明が解決しようとする課題】
【０００４】
しかしながら、前述の特許文献１に開示される瓦の葺設工法には、以下のような問題があった。
前述したように、特許文献１に開示される瓦は、係止用凸起等で桟木に対して係止することで、施工作業を容易にするとともに地震や風に対してある程度の安定性を保証していたが、本質的には桟木に対して載置しているだけであるので、強度の地震や台風時等の強風に対して、耐性を十分に強化しているとは言えない可能性がある。
【０００５】
本発明は、上記問題点に鑑みてなされたものであり、瓦の位置決めを容易にして屋根の施工作業を容易にするとともに、屋根瓦を強固に固定可能で強度の地震や強風にも十分耐え得る屋根瓦およびその施工方法を提供することを目的とする。
【課題を解決するための手段】
【０００６】
かかる目的を達成するため、本発明は、屋根施工時に軒先側から棟側にかけて隣接する他の瓦と互いの端部が重なるように葺設される屋根瓦であって、屋根瓦の風雨にさらされる側の面を表面側とし野地板側に載置される側の面を裏面側としたとき、裏面側の軒先側端部に、隣接する他の屋根瓦の端部を嵌合する嵌合部が形成されていることを特徴とする。
【０００７】
また、上記の嵌合部は、フック状であり、フックの先端が軒先側に向かって形成されていることを特徴とする。
【０００８】
また、上記の嵌合部は、フック状であり、フックの先端が棟側に向かって形成されており、表面側の棟側端部には、隣接する他の瓦のフックの先端が嵌挿される孔部が形成されていることを特徴とする。
【０００９】
また、本発明は、屋根施工時に野地板に敷設された断面凹形状のレールを複数配設しレールに沿って軒先側から棟側にかけて隣接する他の瓦と互いの端部が重なるように葺設される屋根瓦であって、屋根瓦の野地板側に載置される側の面を裏面側としたとき、裏面の幅方向の端部に、断面凹形状のレールに嵌合する凸条が形成されていることを特徴とする。
【００１０】
また、本発明は、屋根施工時に軒先側から棟側にかけて隣接する他の瓦と互いの端部が重なるように屋根瓦を葺設する屋根の施工方法であって、屋根瓦を軒先側の野地板上に固定する第１の屋根瓦固定工程と、固定された軒先側の屋根瓦の棟側端部を、他の屋根瓦の裏面と、裏面に形成されたフック状の嵌合部とにより挟持して、他の屋根瓦の施工位置を決定する施工位置決定工程と、施工位置が決定された屋根瓦を野地板上に固定する第２の屋根瓦固定工程と、を有することを特徴とする。
【００１１】
また、本発明は、屋根施工時に軒先側から棟側にかけて隣接する他の瓦と互いの端部が重なるように屋根瓦を葺設する屋根の施工方法であって、野地板上に屋根面の勾配方向に沿ってレールを敷設する敷設工程と、屋根瓦の裏面に形成された凸条をレールの棟側の開口側から嵌入して軒先方向に摺動させ、屋根瓦を葺設位置まで移動させる摺動工程と、を有することを特徴とする。
【発明の効果】
【００１２】
本発明によれば、屋根瓦の裏面には、軒先側に隣接する他の屋根瓦を係止するための嵌合部が形成され、または野地板上に敷設されたレールの案内溝に嵌入する凸条が形成されているので、屋根瓦を強固に固定して、屋根における耐震性及び耐風性を強化することができ、さらには瓦の位置決めを容易にして屋根の施工作業を容易にすることが可能となる。
【発明を実施するための最良の形態】
【００１３】
＜第１の実施の形態＞
（構造）
本実施の形態における屋根瓦は、屋根施工時に、隣接する他の屋根瓦と互いの端部が重なるように、野地板上に複数枚並置される屋根瓦であり、この互いに重なった端部を嵌合または係止して屋根瓦同士を強固に固定し、この屋根瓦の屋根面上の位置決めを行うようにしたものである。
以下、本実施の形態では、説明の便宜上、屋根瓦において、野地板上に載置される側の面を裏面とし、風雨にさらされる側の面を表面とする。
また、屋根瓦が載置される屋根面において、屋根面の勾配方向を縦方向、その縦方向に略直交する、軒先または棟に沿った方向を横方向とする。
【００１４】
図１は、第１の実施の形態における屋根瓦１０の表面側の外観を示す斜視図である。以下、図を用いて、本実施の形態の屋根瓦１０について説明を進める。
図に示すように、本実施の形態における屋根瓦１０は、山部と谷部とが交互に設けられた波型の略方形状の屋根瓦である。
【００１５】
図に示すように、屋根瓦１０の表面側には、屋根瓦１０を桟木等に固定するための釘を打ち付ける釘穴１１，１９が設けられている。
このうち、釘穴１９は、屋根瓦１０表面に対して一定の高さを有する略円筒形状であって、垂直方向の力に対する耐圧を強化するためのものである。
【００１６】
また、屋根瓦１０の表面には、横方向に凸条１２ａが、また縦方向に凸条１２ｂが列設されている。この凸条１２ａ，１２ｂは、垂直方向の力に対する耐圧及び防水を強化するためのものである。
【００１７】
また、屋根瓦１０の側端部（横方向の端部）の一方には、表面側からの力に対する強度を強化するために、側壁１３が設けられている。
さらに、屋根瓦１０の軒先側の端に沿って、下向き（野地板方向）に１段下がった階段状の段部１４が形成されている。
【００１８】
この屋根瓦１０は、難（不）燃性、断熱性、防音性、及び耐候性に優れ、軽量で一定の強度を有する材質であることが好ましい。さらには、この屋根瓦１０は、一定の可撓性を有することが好ましい。
例えば、この屋根瓦１０の材質は、陶器、セメント、鉄等の金属、または変性ポリフェニリンオキシド系等の樹脂等を含んだものである。
また、耐候性を強化するために、屋根瓦１０の表面には、フッ素系、ウレタン系、シリコン系、またはアクリル系等の塗料を塗布するようにしてもよい。
【００１９】
図２は、その屋根瓦１０の平面図であり、図３は、図２のＡ−Ａ’断面図である。これらの図に示すように、屋根瓦１０の表面側には、前述した釘穴１１、凸条１２ａ，１２ｂが設けられるとともに、軒先側端部には段部１４が形成される。
【００２０】
また、屋根瓦１０の裏面側には、前述した嵌合部１５、係止部１６、及び支持部１７が設けられている。
【００２１】
図４は、この屋根瓦１０の裏面を示す斜視図である。
【００２２】
図に示すように、屋根瓦１０の軒先側端部の裏面側には、先端が軒先方向に向いているフック形状の嵌合部１５が１以上、好ましくは２以上設けられる。
この嵌合部１５と、屋根瓦１０の軒先側（段部１４を含む）の裏面とで、軒先側の他の屋根瓦の棟側端部を挟み込むようにして、屋根瓦１０同士が縦方向で嵌合して、屋根瓦１０同士を強固に固定するとともに、縦方向の位置決めを行う。
また、この嵌合部１５は、好ましくは山部の頂点近傍に設けられる。山部の頂点近傍に設けられることにより、嵌合時において、屋根瓦１０の横方向でのずれを防止でき、屋根瓦１０同士をさらに強固に固定するとともに、屋根瓦１０の横方向の位置決めを容易に行うことが可能となる。
【００２３】
また、屋根瓦１０の裏面において、側壁１３が設けられている側端部の反対側の側端部近傍には、屋根瓦１０の横方向の位置決めを行うための突起形状の係止部１６が設けられている。
【００２４】
また、嵌合部１５と対向する側には、垂直方向からの力に対する耐圧を強化するための支持部１７が設けられている。
【００２５】
（屋根の施工方法）
図５は、第１の実施の形態における屋根瓦１０を用いた屋根の施工方法を示すフローチャートである。
また、図６は、第１の実施の形態における屋根瓦１０を用いた屋根の施工方法の各工程を示す図であり、（ａ）は屋根下地の設置工程、（ｂ）は桟木の設置工程、（ｃ）は１つ目の屋根瓦１０の取り付け工程、（ｄ）は屋根瓦１０の２つ目以降の取り付け工程をそれぞれ示す図である。
以下、図に沿って、本実施の形態における屋根瓦１０を用いた屋根の施工方法について説明を進める。
【００２６】
まず、屋根勾配面上に例えば木製の下地２０を一定間隔で敷設する（ステップＳ１０１）。そして、その敷設した下地２０上に野地板３０を載置し、釘等で野地板３０を下地２０上に固定する（ステップＳ１０２）。
次に、この固定した野地板３０の表面に、ポリエチレン系樹脂シート等の下葺材４０を貼り付ける（ステップＳ１０３，図６（ａ））。
【００２７】
次に、下葺材４０が貼り合わされた野地板３０上に桟木５０を所定間隔で釘などで留め付ける（ステップＳ１０４，図６（ｂ））。
【００２８】
次に、１つ目の屋根瓦１０を桟木５０上に釘などで取り付ける（ステップＳ１０５，図６（ｃ））。ここで、屋根瓦１０において向かって右側に側壁１３が設けられているときには、屋根瓦１０は、屋根勾配面上の最も左側かつ軒先側から順に取り付けられるものとする。逆に、屋根瓦１０において向かって左側に側壁１３が設けられているときには、屋根瓦１０は、屋根勾配面上の最も右側かつ軒先側から順に取り付けられる。
【００２９】
その後、最も左側かつ最も軒先側から屋根瓦１０の取り付けを開始したときには、軒先側に沿って、左側から右側に向かって屋根瓦１０を一列分取り付け、次に、１つ棟側の屋根瓦１０を同様に左側から右側に向かって一列分取り付ける。これを繰り返し、屋根瓦１０の取り付け工程が完了する（ステップＳ１０６，図６（ｄ））。
なお、最も右側かつ最も軒先側から屋根瓦１０の取り付けを開始したときには、軒先側に沿って、右側から左側に向かって屋根瓦１０を一列分取り付け、次に、１つ棟側の屋根瓦１０を同様に右側から左側に向かって一列分を行い、これを繰り返していく。
【００３０】
図７は、前述した屋根瓦１０の取り付け工程を詳細に示した図であり、（ａ）は、取り付け前を示す図であり、（ｂ）は取り付け後を示す図である。
図に示すように、屋根施工時において、縦方向では、屋根瓦１０の段部１４を、軒先側の他の屋根瓦１０の凸条１２ａの上に、重ね合わせるようにして、屋根瓦１０同士を嵌合させ、固定する。
一方、横方向では、屋根瓦１０の係止部１６が備えられている方の側端部を、他の屋根瓦１０の側壁１３の上に重ね合わせるようにして、屋根瓦１０同士を係止する。
【００３１】
また、図８は、屋根瓦１０同士の縦方向の嵌合方法を示す図である。
図に示すように、棟側の屋根瓦１０を、既に桟木５０（図示せず）に取り付け済みの軒先側の屋根瓦１０に対して上向きに所定角度傾けて、棟側の屋根瓦１０の軒先方向の端部を、軒先側の屋根瓦１０の棟方向の端部に対して押入し、その軒先側の屋根瓦１０の棟側端部を、棟側の屋根瓦１０の軒先側端部の裏面（段部１４を含む）と、嵌合部１５とにより挟持させる。
【００３２】
図９は、嵌合後の屋根瓦１０を示す図である。
図に示すように、前述の嵌合方法により棟側の屋根瓦１０を押入し、完全に押し込むと、押入時に傾けた棟側の屋根瓦１０が戻り、それら嵌合した屋根瓦１０の表面（裏面）が互いに略平行になる。このとき、嵌合部１５のフックの内側が、屋根瓦１０の表面側の最も棟側に設けられている凸条１２ａの棟側の面と当接することで、屋根瓦１０の縦方向の位置決めがされる。
このように、棟側の屋根瓦１０を傾けて押し込むだけで、簡単に屋根瓦１０同士を嵌合させて、強固に固定することができるとともに、棟側の屋根瓦１０の位置決めも容易となる。
また、取り外し時には、嵌合時と同様に、所定角度傾けて固定していない方の屋根瓦１０を引き抜くことにより、容易に取り外し作業を行うことができる。
さらに、このとき、軒先側の屋根瓦１０の凸条１２ａは、棟側の屋根瓦１０の裏面（段部１４の裏面を含む）に当接し、棟側の屋根瓦１０を支持することで、垂直方向からの耐圧を強化することができる。
また、図に示すように、屋根瓦１０葺設時には、屋根瓦１０の釘の打設位置が桟木５０上に位置するように屋根瓦１０を桟木５０上に載置し、屋根瓦１０に釘を打ち付けて、屋根瓦１０、桟木５０、下葺材４０及び野地板３０を貫通して屋根瓦１０を下地２０に固着する。
また、このとき、凸条１２ａ間に屋根瓦１０固定用の釘を打ち付けることにより、施工完了時には、釘が外側から完全に隠蔽されるので、屋根の美観を損ねないようにすることができる。また、釘を風雨等から防ぐことができるため、釘に錆びが発生しないようにすることが可能となる。
【００３３】
また、図１０は、屋根瓦１０取り付け後の、屋根瓦１０同士の横方向の係止状態を説明する図である。
図に示すように、桟木５０（図示せず）に固定済みの屋根瓦１０の側壁１３側の側端部に対して、係止部１６が設けられている方の側端部を重ねると、固定済みの屋根瓦１０の側壁１３が、上に載置した屋根瓦１０の係止部１６により係止されるため、これから取り付ける屋根瓦１０の横方向の位置決めを容易に行うことが可能となる。
横方向の位置決めが行われた後、この横方向の重なり部分において、釘孔１１，１９を介して釘を打ち付ける等して固定する。
また、このとき、固定済みの屋根瓦１０の凸条１２ｂは、上に重ねる方の屋根瓦１０の係止部１６側の側端部の裏面に当接し、その重ねたとき上になる屋根瓦１０を支持することで、垂直方向からの力に対する耐圧を強化することができる。
【００３４】
以上説明したように、本実施の形態によれば、屋根施工時には、棟側の屋根瓦１０は、屋根瓦１０の軒先側端部の裏面と、その裏面に設けられたフック形状の嵌合部１５とにより、軒先側の屋根瓦１０の棟側端部を挟持して、その棟側の屋根瓦１０の施工位置を決定するので、屋根瓦１０の位置決めを容易にして葺設作業を簡略化することができるとともに、屋根瓦１０同士を強固に固定し、強度の地震や強風に対する耐性を強化することが可能となる。
【００３５】
＜第２の実施の形態＞
本実施の形態では、他の屋根瓦と嵌合することで、屋根瓦の施工位置の位置決めを容易にするとともに、耐震性及び耐風性を強化する、嵌合部の形状が、第１の実施の形態とは異なっている。
以下、図を用いて、本実施の形態における屋根瓦１０の構造及び屋根の施工方法について説明する。なお、本実施の形態で特に言及しない部分については、第１の実施の形態と同様であるものとする。
【００３６】
図１１は、本実施の形態における屋根瓦の縦方向の断面図であり、（ａ）は嵌合前の屋根瓦を示す図であり、（ｂ）は嵌合後の屋根瓦を示す図である。
【００３７】
図に示すように、本実施の形態の屋根瓦１０の裏面の軒先側端部には、第１の実施の形態と同様に、軒先側に隣接する他の屋根瓦と嵌合し、屋根瓦同士を強固に固定するフック形状の嵌合部２１が設けられている。ただし、第１の実施の形態では、その嵌合部１５のフックの先端方向が軒先側を向いているのに対し、本実施の形態では、嵌合部２１のフックの先端は、逆に棟側を向いている。
また、屋根瓦１０の裏面の棟側端部には、嵌合部２１のフック先端と嵌合する孔部２２が設けられている。
【００３８】
このように、棟側に新たに配設する屋根瓦１０における嵌合部２１のフックの先端部分を、軒先側に隣接する他の屋根瓦における棟側に設けられた孔部２２に嵌挿することで、屋根瓦１０同士を固定することができる。
このとき、フックが嵌挿される孔部２２の孔部分は、嵌合時にフックと緊合するような大きさに設けられることが好ましい。このことにより、屋根瓦１０同士の固定をより強固にすることができる。
以降、第１の実施の形態と同様に、屋根瓦１０が重なった部分等を釘で打ち抜いて桟木５０に固定する等して、屋根を施工する。
【００３９】
以上説明したように、本実施の形態によれば、屋根瓦１０の裏面の軒先側端部に設けられた嵌合部２１のフックの先端を、その屋根瓦１０の軒先側に隣接する他の屋根瓦の棟側端部に設けられた孔部２２に嵌挿することにより、屋根瓦１０の位置決めを容易にして葺設作業を簡略化することができるとともに、屋根瓦１０同士を強固に固定し、強度の地震や強風に対する耐性を強化することが可能となる。
【００４０】
＜第３の実施の形態＞
以下、本発明の第３の実施の形態について説明するが、本実施の形態で特に言及しない部分については、第１の実施の形態と同様であるものとする。
【００４１】
図１２は、第３の実施の形態における屋根瓦１０の葺設方法の概要を示す図である。
第１及び第２の実施の形態では、屋根瓦１０を、位置決め後、桟木５０上に釘で打ち抜いて固定していた。これに対し、本実施の形態では、図に示すように、屋根瓦１０を屋根面（野地板３０）上に勾配方向に沿って複数設けられたレール６０上を摺動させて、屋根面上に葺設する。
図に示すように、摺動凸条３１が向かって左側の側端部の裏面に設けられているときは、屋根瓦１０は、向かって左側から右側に順に葺設される。逆に、摺動凸条３１が向かって右側の側端部の裏面に設けられているときは、屋根瓦１０は、向かって左側から右側に順に葺設される。
横一列の屋根瓦１０が葺設されると、一列棟側の屋根瓦１０が同様に葺設される。
その後、この工程を繰り返すことにより、屋根瓦１０が、横一列分ずつ棟側まで葺設され、完成する。
【００４２】
図１３は、そのレール６０の構造を示す図である。
図に示すように、レール６０には、屋根瓦１０を摺動させるための案内溝６１が設けられている。この案内溝６１は、図に示すように、溝底面よりも表面側の開口面の方が狭く、横方向の断面が凸形状となっている。また、この案内溝６１は、棟側及び表面側が開口されており、軒先側は閉じている。
この案内溝６１に、屋根瓦１０の裏面に勾配方向に沿って設けられた摺動用の凸条（摺動凸条３１）をレール６０の棟側から嵌入し、レール６０の軒先側方向に案内溝６１内壁の摺接面上を摺動させる。
なお、横方向の断面において、この摺動凸条３１は、案内溝６１とほぼ同形状であり、棟側から嵌入後には、案内溝６１から垂直方向に抜けないような構造となっている。
【００４３】
図１４は、本実施の形態において、レール６０に屋根瓦１０を嵌入したときの横方向の断面図である。
図に示すように、屋根瓦１０の裏面には、レール６０の案内溝６１内壁上を摺動するための摺動凸条３１が設けられている。このとき、摺動凸条３１の横幅は、案内溝６１内壁の横幅とほぼ等しく形成されており、屋根瓦１０の横方向の位置決めが行われる。
【００４４】
図１５は、本実施の形態において、レール６０に屋根瓦１０を嵌入したときの軒下先端の縦方向の断面図である。
図に示すように、最も軒先側の屋根瓦１０が、レール６０の軒下側先端まで摺動すると、その最も軒先側の屋根瓦１０の摺動凸条３１は、レール６０の軒先側先端で、案内溝６１の内壁で係止され、縦方向の位置決めがされる。
最も軒先側の屋根瓦１０以外の屋根瓦１０は、レール６０上を摺動すると、その係止凸部３２は、軒下側に隣接する他の屋根瓦１０における棟側端部に接して係止され、縦方向の位置決めがされる。
【００４５】
以上説明したように、本実施の形態によれば、屋根施工時には、野地板３０上において、屋根面の勾配方向に、所定間隔でレール６０を敷設し、そのレール６０の案内溝６１に屋根瓦１０裏面に設けられた摺動凸条３１を嵌入して軒先方向に向かって摺動させ、この摺動凸条３１を案内溝６１の内壁及び隣接する他の屋根瓦１０により縦横両方向係止するようにしたので、釘や取付用のネジを用いることなく、各屋根瓦１０をレール６０に強固に固定し、強度の地震や強風に対する耐性を強化することができるとともに、さらには屋根瓦１０を野地板３０上に容易に位置決めし、葺設作業を簡略化することが可能となる。
【００４６】
なお、本実施の形態では、案内溝６１の軒先側先端は閉じており、摺動凸条３１が、その先端の案内溝６１の内壁で係止されていたが、野地板３０上に留め具を設ける等して屋根瓦１０を他の部分で係止する場合には、その案内溝６１の軒先側先端が開口するように形成してもよい。
【００４７】
また、屋根瓦１０は、前述の構成及び機能を備え、異なる材質による複数の層からなる構造であってもよい。図１６は、その多層構造を備えた屋根瓦１０の一部の断面を示す図である。
【００４８】
図に示すように、本実施の形態における屋根瓦１０は、難燃性及び撥水性を備えた難燃樹脂層１の表側の面上に、例えばガラスシート、セラミックシート等からなる不燃物層２を形成し、さらにこの不燃物層２の表側の面上に、難燃樹脂層１と同様の材質の難燃樹脂層３を形成したものである。
ここで、屋根瓦１０を屋根面上に施工するとき、野地板に載置される側の層（最下層）を難燃樹脂層１とし、風雨にさらされる側の層（最上層）を難燃樹脂層３とする。
なお、この難燃樹脂層３の風雨にさらされる側の表面には、意匠的デザインや撥水・耐久性強化等のための塗料が塗布されたトップコート層４が形成されることが好ましい。
【００４９】
難燃樹脂層１，３は、従来の陶器瓦よりも比重が軽く、優れた難燃性及び撥水性を有するとともに、屋根瓦１０の形状を保持するための補強層として、一定以上の強度を有する樹脂からなる層である。
【００５０】
この難燃樹脂層１，３は、例えばＰＰＥ（ポリフェニレンエーテル樹脂）やポリスチレン等からなる変性ポリフェニリンオキシド系樹脂を含有する。
また、この難燃樹脂層１，３は、着色材料を含有していてもよい。
【００５１】
その他、難燃樹脂層１，３に用いられる難燃性の樹脂として、
・ポリ塩化ビニル（ＰＶＣ）
・ポリブチレンテレフタレート樹脂（ＰＢＴ）
・ポリフェニレンサルファイド樹脂（ＰＰＳ）
・ポリエーテルエーテル（ＰＥＥＫ）
・液晶ポリマー（ＬＣＰ）
・ポリエーテルサルフォン（ＰＥＳ）
・ポリカーボネート樹脂（ＰＣ）
・ポリカーボネート／アクリルニトリルブタジェンスチレン樹脂（ＰＣ／ＡＢＳ）
・ポリカーボネート／ポリブチレンテレフタレート樹脂（ＰＣ／ＰＢＴ）
等を含有するようにしてもよい。
【００５２】
不燃物層２は、例えば、軽量で、不燃性、断熱性、及び防音性に優れたセラミック繊維、ガラス繊維、またはカーボン繊維等を主原料とした層である。
また、この不燃物層２として、鉄またはアルミ等の金属板を用いるようにしてもよい。
屋根瓦１０に不燃物層を複数層形成するときには、これらの複数の不燃物層は、これらのセラミック繊維、ガラス繊維またはカーボン繊維等からなる層、あるいは金属板のいずれか１つであってもよいし、これらのいずれか２以上であってもよい。
【００５３】
トップコート層４を形成する塗料には、例えば、フッ素系、ウレタン系、シリコン系またはアクリル系等の樹脂が含有されている。
【００５４】
このように、屋根瓦１０は、不燃性、断熱性、及び防音性に優れた不燃物層２を、難燃性、撥水性、及び一定の強度を有し陶器に比べて軽量な難燃樹脂層１，３で、挟み込むように屋根瓦１０を形成するので、不燃物層２の特性である不燃性、断熱性、及び防音性に加え、撥水性及び一定の強度を備えた軽量な屋根瓦を提供することが可能となる。
【００５５】
また、前述の実施の形態では、屋根瓦を、山部と谷部とが交互に設けられた波型の屋根瓦としたが、平板形状であってもよいし、他の形状であってもよい。
【００５６】
また、前述の実施の形態では、屋根瓦の軒先側端部に嵌合部１５が設けられていたが、隣接する他の屋根瓦の端部と互いに嵌合又は係止する本実施形態の構造が形成されていれば、嵌合部１５は、軒先側端部以外の他の端部に設けられていてもよい。
さらに、凸条１２ａ，１２ｂ、側壁１３、係止部１６も、同様に嵌合又は係止可能な構造が形成されていれば、本実施の形態において設けられている端部以外の他の端部に設けられていてもよい。
【００５７】
なお、上記の実施形態は本発明の好適な実施の一例であり、本発明の実施形態は、これに限定されるものではなく、本発明の要旨を逸脱しない範囲において種々変形して実施することが可能となる。
【図面の簡単な説明】
【００５８】
【図１】第１の発明の実施の形態における屋根瓦の上面側の外観を示す斜視図である。
【図２】第１の実施の形態における屋根瓦の上面側の平面図である。
【図３】第１の実施の形態における屋根瓦のＡ−Ａ’断面図である。
【図４】第１の実施の形態における屋根瓦の底面を示す斜視図である。
【図５】第１の実施の形態における屋根瓦を用いた屋根の施工方法を示すフローチャートである。
【図６】第１の実施の形態における屋根瓦を用いた屋根の施工方法の各工程を示す図であり、（ａ）は屋根下地の設置工程、（ｂ）は桟木の設置工程、（ｃ）は１つ目の屋根瓦１０の取り付け工程、（ｄ）は屋根瓦１０の２つ目以降の取り付け工程をそれぞれ示す図である。
【図７】第１の実施の形態における屋根瓦の取り付け工程を詳細に示した図であり、（ａ）は、取り付け前を示す図であり、（ｂ）は取り付け後を示す図である。
【図８】第１の実施の形態における屋根瓦同士の縦方向の嵌合方法を示す図である。
【図９】第１の実施の形態における嵌合後の屋根瓦を示す図である。
【図１０】第１の実施の形態における屋根取り付け後の屋根瓦同士の横方向の係止状態を説明する図である。
【図１１】第２の実施の形態における屋根瓦の縦方向の断面図であり、（ａ）は嵌合前の屋根瓦を示す図であり、（ｂ）は嵌合後の屋根瓦を示す図である。
【図１２】第３の実施の形態における屋根瓦の葺設方法の概要を示す図である。
【図１３】第３の実施の形態におけるレールの構造を示す図である。
【図１４】第３の実施の形態において、レールに屋根瓦を嵌入したときの横方向の断面図である。
【図１５】第３の実施の形態において、レールに屋根瓦を嵌入したときの軒下先端の縦方向の断面図である。
【図１６】多層構造を備えた屋根瓦の一部の断面を示す図である。
【符号の説明】
【００５９】
１，３    難燃樹脂層
２    不燃物層
４    トップコート層
１０    屋根瓦
１１，１９    釘穴
１２ａ，１２ｂ    凸条
１３    側壁
１４    段部
１５    嵌合部
１６    係止部
１７    支持部
２０    下地
３０    野地板
３１    摺動凸条
３２    係止凸部
４０    下葺材
５０    桟木
６０    レール
６１    案内溝
【図１】
2006200227.tif 000003
【図２】
2006200227.tif 000004
【図３】
2006200227.tif 000005
【図４】
2006200227.tif 000006
【図５】
2006200227.tif 000007
【図６】
2006200227.tif 000008
【図７】
2006200227.tif 000009
【図８】
2006200227.tif 000010
【図９】
2006200227.tif 000011
【図１０】
2006200227.tif 000012
【図１１】
2006200227.tif 000013
【図１２】
2006200227.tif 000014
【図１３】
2006200227.tif 000015
【図１４】
2006200227.tif 000016
【図１５】
2006200227.tif 000017
【図１６】
2006200227.tif 000018